(57)【要約】【課題】ユーザが設定した目的地の、到着予測時間帯における魅力度をユーザに報知することができるシステム、車両用機器、その制御方法、及びプログラムの提供。【解決手段】車両用機器２００は、ユーザが指定する第１の目的地への到着予測時刻を算出する到着予測時刻算出部２０２と、時間帯ごとの第１の目的地の魅力度合いを含む目的地情報を取得する目的地情報取得部２０３と、到着予測時刻および目的地情報に基づいて、到着予測時刻における第１の目的地の到着時刻目的地魅力度合いを算出する到着時刻目的地魅力度合い算出部２０４と、算出した到着時刻目的地魅力度合いをユーザに提示する提示部２０５とを備える。【選択図】図１
2020148532.tif 000002
【特許請求の範囲】
【請求項１】
ユーザが指定する第１の目的地への到着予測時刻を算出する到着予測時刻算出部と、
時間帯ごとの前記第１の目的地の魅力度合いを含む目的地情報を取得する目的地情報取得部と、
前記到着予測時刻および前記目的地情報に基づいて、到着予測時刻における前記第１の目的地の到着時刻目的地魅力度合いを算出する到着時刻目的地魅力度合い算出部と、
前記算出した前記到着時刻目的地魅力度合いを前記ユーザに提示する提示部と、を備える、
車両用機器。
【請求項２】
前記目的地情報は、前記第１の目的地における少なくとも１つのイベントの開始時刻および終了時刻、時刻ごとの周辺駐車場の混雑度、周辺食事施設の混雑度のうち少なくとも１つを含む、
請求項１に記載の車両用機器。
【請求項３】
前記第１の目的地における、天候、気温、混雑度、周辺施設の混雑度に関するリアルタイムな現地情報、及び到着予測時刻における予測現地情報を取得する現地情報取得部をさらに備え、
到着時刻目的地魅力度合い算出部は、前記到着予測時刻および前記目的地情報および予測現地情報に基づいて、到着予測時刻における前記第１の目的地の到着時刻目的地魅力度合いを算出する請求項１又は２に記載の車両用機器。
【請求項４】
前記ユーザの生体情報を取得する生体情報取得部と、
前記生体情報がユーザが体調不良であるか否かを判定するユーザ体調判定部と、
前記第１の目的地までの走行距離を算出する走行距離算出部と、をさらに備え、
前記到着時刻目的地魅力度合い算出部は、前記ユーザが体調不良であると判定された場合、前記走行距離に基づいて前記第１の目的地の到着時刻目的地魅力度合いを制御する、
請求項１〜３のいずれか１項に記載の車両用機器。
【請求項５】
前記第１の目的地における前記到着時刻目的地魅力度合いが所定値以下である場合、前記第１の目的地と同一ジャンルであり、かつ、前記到着時刻目的地魅力度合いが前記第１の目的地よりも高い第２の目的地を検索し前記ユーザに提示する目的地検索部を、さらに備える、
請求項１〜４のいずれか１項に記載の車両用機器。
【請求項６】
前記到着時刻目的地魅力度合いに基づいて、推奨出発時刻の提案、又は推奨経路の探索を行う、
請求項１〜４のいずれか１項に記載の車両用機器。
【請求項７】
車両用機器と、サーバと、を備え、
前記車両用機器は
走行に関する走行情報を取得する走行情報取得部と、
前記走行情報を前記サーバに送信する送信部と、
前記サーバが算出する到着時刻目的地魅力度合いを受信する受信部と、
前記到着時刻目的地魅力度合いをユーザに提示する提示部と、を備え、
前記サーバは、
前記受信した走行情報から、第１の目的地への到着予測時刻を算出する到着予測時刻算出部と、
時間帯ごとの前記第１の目的地の魅力度合いを含む目的地情報を取得する目的地情報取得部と、
前記到着予測時刻および前記目的地情報に基づいて、到着予測時刻における前記到着時刻目的地魅力度合いを算出する到着時刻目的地魅力度合い算出部と、
前記到着時刻目的地魅力度合いを前記車両用機器に送信する送信部と、を備える、
システム。
【請求項８】
ユーザが指定する第１の目的地への到着予測時刻を算出するステップと、
時間帯ごとの前記第１の目的地の魅力度合いを含む目的地情報を取得するステップと、
前記到着予測時刻および前記目的地情報に基づいて、到着予測時刻における前記第１の目的地の魅力度合いを算出するステップと、
前記算出した到着時刻目的地魅力度合いを前記ユーザに提示するステップと、を備える、
車両用機器の制御方法。
【請求項９】
コンピュータに、
ユーザが指定する第１の目的地への到着予測時刻を算出するステップと、
時間帯ごとの前記第１の目的地の魅力度合いを含む目的地情報を取得するステップと、
前記到着予測時刻および前記目的地情報に基づいて、到着予測時刻における前記第１の目的地の到着時刻目的地魅力度合いを算出するステップと、
前記算出した前記到着時刻目的地魅力度合いを前記ユーザに提示するステップと、を実行させる、
プログラム。
【発明の詳細な説明】
【技術分野】
【０００１】
本発明は、車両用機器、システム、制御方法、及びプログラムに関し、特に目的地等に関する情報を搭乗者に通知するシステム、車両用機器、その制御方法、及びプログラムに関する。
【背景技術】
【０００２】
特許文献１に開示の目的地提案システムは、目的地への到着時刻が予定より遅れた場合、より早く到着できる代替地をユーザに提案する。予定通りに旅行が進まない場合であっても、同一目的を達成できる他の目的地に設定変更を容易に行うことができ、ユーザの意向を旅行により反映することができる。
【先行技術文献】
【特許文献】
【０００３】
【特許文献１】特開２００３−３２９４５７号公報
【発明の概要】
【発明が解決しようとする課題】
【０００４】
しかし、目的地への到着時刻が予定より遅れた場合でなくとも、目的地への到着時間によっては、混雑したり、入場制限されたりする場合が有る。このような場合、別の目的地が、現在の目的地と比較して、魅力度がユーザにとって高いことが有り得る。
【０００５】
本発明は、ユーザが設定した目的地の、到着予測時間帯における魅力度をユーザに報知することができる車両用機器、システム、その制御方法、及びプログラムを提供する。
【課題を解決するための手段】
【０００６】
本発明に係る車両用機器は、
ユーザが指定する第１の目的地への到着予測時刻を算出する到着予測時刻算出部と、
時間帯ごとの前記第１の目的地の魅力度合いを含む目的地情報を取得する目的地情報取得部と、
前記到着予測時刻および前記目的地情報に基づいて、到着予測時刻における前記第１の目的地の到着時刻目的地魅力度合いを算出する到着時刻目的地魅力度合い算出部と、
前記算出した前記到着時刻目的地魅力度合いを前記ユーザに提示する提示部と、を備える。
【０００７】
本発明に係るシステムは、車両用機器と、サーバと、を備え、前記車両用機器は、走行に関する走行情報を取得する走行情報取得部と、前記走行情報を前記サーバに送信する送信部と、前記サーバが算出する到着時刻目的地魅力度合いを受信する受信部と、前記到着時刻目的地魅力度合いをユーザに提示する提示部と、を備え、前記サーバは、前記受信した走行情報から、第１の目的地への到着予測時刻を算出する到着予測時刻算出部と、時間帯ごとの前記第１の目的地の魅力度合いを含む目的地情報を取得する目的地情報取得部と、前記到着予測時刻および前記目的地情報に基づいて、到着予測時刻における前記到着時刻目的地魅力度合いを算出する到着時刻目的地魅力度合い算出部と、前記到着時刻目的地魅力度合いを前記車両用機器に送信する送信部と、を備える。
【０００８】
本発明に係る車両用機器の制御方法は、ユーザが指定する第１の目的地への到着予測時刻を算出するステップと、時間帯ごとの前記第１の目的地の魅力度合いを含む目的地情報を取得するステップと、前記到着予測時刻および前記目的地情報に基づいて、到着予測時刻における前記第１の目的地の魅力度合いを算出するステップと、前記算出した到着時刻目的地魅力度合いを前記ユーザに提示するステップと、を備える。
【０００９】
本発明に係るプログラムは、コンピュータに、ユーザが指定する第１の目的地への到着予測時刻を算出するステップと、時間帯ごとの前記第１の目的地の魅力度合いを含む目的地情報を取得するステップと、前記到着予測時刻および前記目的地情報に基づいて、到着予測時刻における前記第１の目的地の到着時刻目的地魅力度合いを算出するステップと、前記算出した前記到着時刻目的地魅力度合いを前記ユーザに提示するステップと、を実行させる。
【発明の効果】
【００１０】
本発明によれば、ユーザが設定した目的地の、到着予測時間帯における魅力度をユーザに報知することができる車両用機器、システム、その制御方法、及びプログラムを提供することができる。
【図面の簡単な説明】
【００１１】
【図１】実施の形態１に係る車両用機器の一構成例のシステム構成を示すブロック図である。
【図２】実施の形態１に係るシステムの一構成例のハードウェア構成を示す概略図である。
【図３】実施の形態１に係る車両用機器の一構成例の動作を示すフローチャートである。
【図４】実施の形態１に係る車両用機器の一構成例のシステム構成を示すブロック図である。
【図５】車両用機器に含まれるハードウェア構成の一例を示す図である。
【発明を実施するための形態】
【００１２】
（実施の形態１）
以下、図１及び図２を参照して実施の形態１について説明する。図１は、実施の形態１に係る車両用機器の一構成例のシステム構成を示すブロック図である。図２は、実施の形態１に係る車両用機器の一構成例のハードウェア構成を示す概略図である。
【００１３】
図１に示すように、車両用機器２００は、到着予測時刻算出部２０２と、目的地情報取得部２０３と、到着時刻目的地魅力度合い算出部２０４と、提示部２０５と、を備える。車両用機器２００が、現地情報取得部２０６と、ユーザ体調判定部２０７と、走行距離算出部２０８と、目的地検索部２０９と、出発時刻経路提案部２１０とをさらに備える形態があってもよい。
【００１４】
車両用機器２００は、車両において用いることができる機器であればよく、車両の内外で用いることができる機器であってもよい。車両用機器２００は、例えば、車載機、携帯端末、表示装置などが挙げられる。車載機は、例えば、ヘッドアップディスプレイ装置、ナビゲーション装置等が挙げられる。携帯端末は、スマートフォン、タブレット機器、ウェアラブルデバイス等である。ウェアラブルデバイスは、スマートウォッチ、リストバンド型の脈拍計等が挙げられる。車両用機器２００は、随時、ネットワークに接続されて他の機器と各種データを送受信してもよい。また、車両用機器２００は、随時、ネットワークに接続されて他の機器と各種データを送受信し同期した後、スタンドアローン環境において利用されてもよい。
【００１５】
車両用機器２００は、内部又は外部の記録装置（図示略）からプログラムを供給される。制御部２０１（図示略）は、ＣＰＵ（Central Processing Unit）等のプロセッサによって構成されることができる。つまり、制御部２０１は、コンピュータとしての機能を備えることができる。制御部２０１は、記憶装置に記憶されたプログラムを実行させ、各種処理を行うことができる。また、制御部２０１は、このプログラムを実行することによって、到着予測時刻算出部２０２と、目的地情報取得部２０３と、到着時刻目的地魅力度合い算出部２０４と、提示部２０５と、現地情報取得部２０６と、ユーザ体調判定部２０７と、走行距離算出部２０８と、目的地検索部２０９と、出発時刻経路提案部２１０として機能する。
【００１６】
到着予測時刻算出部２０２は、ユーザが指定する第１の目的地への到着予測時刻を算出する。多くの場合、ユーザは、車両用機器２００が用いられる車両に搭乗している。車両用機器２００は、図示しないインタフェースを備える。当該インタフェースは、ユーザが指定した第１の目的地を示す入力を受け付ける。
【００１７】
到着予測時刻算出部２０２は、第１の目的地への到着予測時刻を算出するために、車両の走行情報および地図情報を用いるとよい。当該走行情報は、例えば、車両用機器２００が用いられている車両の現在位置、速度、加速度、移動方向などが挙げられる。当該走行情報は、車両用機器２００が用いられているＣＡＮ（Controller Area Network）や各種センサ等からリアルタイムに取得するとよい。また地図情報は、例えば、車両用機器２００が用いられている車両の現在位置から、現在走行している道路が高速道路であるか一般道路であるかを判定し、走行予測速度を導出する。
【００１８】
目的地情報取得部２０３は、第１の目的地に関し、時間帯ごとの目的地の魅力度合いを含む目的地情報をデータベースから取得する。目的地の魅力度合いとは、例えば、目的地である施設そのものの魅力度と、目的地において開催される各種イベントごとの魅力度、周辺駐車場の混雑度などから算出される。例えば綺麗な観光地としての魅力度と、その中でも日の出の時刻の美しさ、夜間で景色が見えなくなるまたはライトアップされるなどの条件により、時間帯ごとに魅力度は異なる。魅力度合いは、例えば、魅力が高いものをレベル５、魅力が低いものをレベル１とする５段階評価や、優、良、可などの３段階評価で表される。レベル分けの段階は任意であってよく、限定されない。時間帯ごとの目的地の魅力度合いは、例えば、施設として魅力が高く大部分の時間帯においてレベル５であっても、魅力的なイベントの終了後の時間帯であれば、総合的に魅力度合いがレベル３となる場合がある。目的地情報は、目的地における少なくとも１つのイベントの開始時刻、及び終了時刻、時刻ごとの周辺駐車場の混雑度、周辺食事施設の混雑度、のうち少なくとも１つを含む。これらの混雑度は、予め統計などに求められた、所定の時間帯における平均的な水準を示す値であればよい。また、目的地におけるイベントが複数ある場合に、図示しないインタフェースにより、ユーザが各イベントごとの重要度を指定して、時間帯ごとの目的地の魅力度合いを制御してもよい。
【００１９】
到着時刻目的地魅力度合い算出部２０４は、算出した到着予測時刻、及び前記目的地情報に基づいて、到着予測時刻における目的地の魅力度合いを算出し、これを到着時刻目的地魅力度合いとして出力する。到着時刻目的地魅力度合い算出部２０４は、例えば、到着予測時刻における目的地の魅力度合いを、目的地情報取得部２０３が取得した目的地情報に基づいて、各種イベントの開始時間、周辺駐車場の混雑度、周辺食事施設の混雑度などに基づいて算出する。到着時刻目的地魅力度合い算出部２０４は、例えば、魅力的な施設において、魅力的なイベントが終了した後の時間帯について、魅力度がレベル３であると判定する場合がある。また、到着時刻目的地魅力度合い算出部２０４は、例えば、イベント終了後であっても施設の魅力が充分であり、駐車場の混雑が緩和するため、レベル４であると判定する場合がある。
【００２０】
車両用機器２００は、算出した到着予測時刻における目的地の魅力度合いを、データベースに格納してデータを更新する、図示しないデータベース管理部を備えてもよい。データベースは、外部サーバに備えられる外部データベースであってもよく、車両用機器２００が備えるローカルデータベースであってもよい。外部サーバに備えられる外部データベースである場合、目的地情報取得部２０３は、外部サーバと通信する図示しない送信部および受信部を備える。
【００２１】
到着時刻目的地魅力度合い算出部２０４は、ユーザが体調不良であると判定された場合に、走行距離に基づいて目的地の到着時刻目的地魅力度合いを制御してもよい。体調不良とは、具体的には、眠気、居眠り、興奮、体温の低下、疲労等である。具体的には、到着時刻目的地魅力度合い算出部２０４は、ユーザが体調不良であると判定された場合、走行距離が長くなるにつれて、目的地の到着時刻目的地魅力度合いを低減してもよい。
【００２２】
提示部２０５は、到着時刻目的地魅力度合い算出部２０４が算出した到着時刻目的地魅力度合いをユーザに提示する。提示部２０５は、この算出した到着時刻目的地魅力度合いを、図示しないディスプレイ等に表示したり、図示しないスピーカ等から音声出力したりすることによって、ユーザに提示する。
【００２３】
到着時刻目的地魅力度合いの具体的内容に応じて、提示部２０５が提示する内容の具体例を挙げる。例えば、上述した魅力度合いのレベルを５段階で提示してもよい。また、魅力度合いが低い場合、その理由を提示してもよい。例えば、到着予測時間における駐車場の混雑度が所定の値を越えている場合、その具体例は、「今から行っても駐車場探しに苦労します。」である。予測到着時刻がイベントの終了時刻を遅延する場合、その具体例は、「メインのイベントには間に合いません」である。予測到着時刻がイベントの一例であるライトアップの終了時刻を遅延し、駐車場の混雑度が低い場合、その具体例は、「ライトアップ時間は終わっていますが、駐車場は空くのでお勧めです。」である。天気が低温度である場合、その具体例は、「景色は綺麗ですけれど、かなり寒くなります。」である。
【００２４】
現地情報取得部２０６は、目的地における、天候、気温、混雑度、周辺施設の混雑度に関するリアルタイムな現地情報、及び到着予測時刻における予測現地情報を取得する。到着時刻目的地魅力度合い算出部２０４は、算出した到着予測時刻、及び前記目的地情報、及び予測現地情報に基づいて、到着予測時刻における目的地の魅力度合いを算出し、これを到着時刻目的地魅力度合いとして出力する。到着時刻目的地魅力度合い算出部２０４は、例えば、屋外で開催されるイベントにおいて、到着予測時刻における天候が雨天である場合に、到着時刻目的地魅力度合いを低く設定してもよい。混雑度は、目的地が入場制限されているか否かを示す情報を含む。周辺施設は、目的地の周辺における駐車場、食事施設等である。現地情報取得部２０６は、現地情報、及び予測現地情報を車両用機器２００の外部の装置、例えば、クラウドネットワークのサーバからリアルタイムに取得することができる。
【００２５】
ユーザ体調判定部２０７は、ユーザの体調を判定する。ユーザ体調判定部２０７は、具体的には、脳波、心拍数、脈拍、体温、血圧等、体調に関わる計測値を後述する体調判定器６から取得し、この計測値に基づいて、ユーザの体調を判定する。ユーザ体調判定部２０７は、例えば、カメラを用いて目の開度や視線の動き、頭部の傾きや動き等を検出し、この検出した動きに基づいて、ユーザの体調不良を判定してもよい。ユーザの体調不良とは、例えば、目の開度が所定値以下である眠気や居眠り等である。ユーザ体調判定部２０７は、心拍数や脈拍数が所定値より高い興奮状態であること、体温の低下や不整脈、高血圧などが生じた場合、ユーザの体調が不良であると判定してもよい。
【００２６】
走行距離算出部２０８は、現在地から第１の目的地までの走行距離を算出する。走行距離算出部２０８は、走行情報に含まれる車両の現在位置、その速度と、目的地と、走行路の混雑度等を用いるとよい。
【００２７】
目的地検索部２０９は、第１の目的地における到着時刻目的地魅力度合いが所定値以下、たとえば５段階評価のうちレベル３以下またはレベル２以下である場合、第１の目的地と同一ジャンルである他の目的地を検索する。さらに、目的地検索部２０９は、検索した他の目的地のうち、到着時刻目的地魅力度合いが第１の目的地よりも高い第２の目的地を探し出す。目的地検索部２０９は、提示部２０５を介して、この選択した目的地を第２の目的地として、ユーザに提示する。具体的には、目的地検索部２０９は、第１の目的地と同一ジャンルであるひとつまたは複数の目的地を地図情報から抽出して、各目的地ごとの到着予測時刻を取得して到着時刻目的地魅力度合いを算出する。さらに、目的地検索部２０９は、第１の目的地よりも到着時刻目的地魅力度合いが高いと算出された目的地を、第２の目的地として、ユーザに提示する。目的地検索部２０９が提示する目的地は、ひとつ、又は複数である。
【００２８】
出発時刻経路提案部２１０は、到着時刻目的地魅力度合いに基づいて、推奨出発時刻の提案、又は推奨経路の探索を行う。出発時刻経路提案部２１０は、例えば、第２の目的地の到着時刻目的地魅力度合いのうち、目的地における少なくとも一つのイベントの開始時刻および終了時刻、駐車場混雑度、経路の混雑度などに応じて、推奨出発時刻を求める。推奨出発時刻は、例えば、ユーザがイベント開始までに目的地に到着する時刻や、目的地の混雑度が緩和されている時間帯に目的地に到着するための出発時刻である。また、推奨経路は、推奨出発時刻と、リアルタイムの経路の混雑度に基づいて、例えば、ユーザがイベント開始までに目的地に到着するよう、経路を決定する。目的地の魅力度合いが高くなる時間帯に合わせて到着するよう、冗長な経路や走行経費の安い経路を探索したり、出発時刻を設定したりする形態があってもよい。
【００２９】
次に、車両用機器２００のハードウェア構成の一具体例について説明する。車両用機器２００の一具体例は、図２に示すヘッドアップディスプレイ装置１０である。図２に示すように、ヘッドアップディスプレイ装置１０は、ＨＭＩ（ヒューマン・インタフェース）１１と、記録装置１２と、音声認識部１３と、Ｂｌｕｅｔｏｏｔｈ（登録商標）インタフェース１４と、Ｗｉ−Ｆｉ（登録商標）インタフェース１５とを備える。
【００３０】
ＨＭＩ１１は、ユーザからの操作入力を受け付ける。記録装置１２は、各種スポット情報１７を記録する。音声認識部１３は、ユーザからの音声を認識して、これを操作入力として受け付ける。Ｂｌｕｅｔｏｏｔｈインタフェース１４と、Ｗｉ−Ｆｉインタフェース１５とは、ヘッドアップディスプレイ装置１０の外部の構成と接続し、相互に各種データを送受信することができる。
【００３１】
車両用機器２００は、システム１００の一構成要素である。車両用機器２００は、携帯端末群２０と、体調判定器６とともに利用されている。車両用機器２００は、携帯端末群２０と、体調判定器６と同一の構成を内蔵してもよい。携帯端末群２０は、携帯端末２１、２２を含み、携帯端末２１、２２は、ナビゲーションアプリケーション等を備えてもよい。
【００３２】
車両用機器２００は、携帯端末群２０及びインターネット３を介して、クラウドネットワーク４に接続している。クラウドネットワーク４は、サーバや、１つ以上のハードウェアに設けられたセンサを含み、これらは、ネットワークを介して相互に接続されている。クラウドネットワーク４は、ＩｏＴ（Internet of Things）とも呼ばれる。車両用機器２００は、クラウドネットワーク４にアクセスし、クラウドネットワーク４内のサーバに記録されるスポット情報４１とユーザ情報４２とを取得することができる。
【００３３】
スポット情報４１は、例えば、目的地の現状情報、代替目的地の情報検索エンジンなどである。目的地の現状情報は、具体的には、目的地周辺の施設の入退場者数を含み、より具体的には、目的地周辺の施設のドア開閉センサ、入退場者カウンタ等である。記録装置１２のスポット情報１７は、スポット情報４１から、ユーザに必要な情報をクラウドネットワーク４から取得する。スポット情報４１と、記録装置１２のスポット情報１７とは、随時、同期化するとよい。
【００３４】
ユーザ情報４２は、例えば、ユーザの目的地情報、ユーザのお好みスポットの情報を蓄積する学習システム、上記の情報をリンクさせるための最新スポット情報などである。ユーザのお好みスポットは、例えば、目的地について、ジャンル、旅行時間等の特徴を示す。ジャンルは、例えば、施設のカテゴリ、具体的には、遊園地、博物館、動物園、水族館、温泉、宿泊施設、レジャー施設、観光地、景勝地等である。学習システムは、ユーザが予め検索エンジン等で検索したデータに基づいて、人工知能を用いて、ユーザのお好みスポットの情報を導く。
【００３５】
体調判定器６は、車両用機器２００と携帯端末群２０とに接続されている。体調判定器６は、例えば、カメラ６１と、ウェアラブルデバイス６２とを備える。体調判定器６は、心拍計、脈拍計、脳波計、体温計、血圧計など、ユーザの体調を判定するデータを取得する装置であってもよい。体調判定器６は、この取得したデータを、ユーザ体調判定部２０７へ送信する。
【００３６】
カメラ６１は、車両用機器２００が用いられる車両を運転するユーザの目を撮像し、目の開度、視線方向などの撮像データを取得する。カメラ６１は、ユーザの顔部を撮像して、体温または頭部の傾きや動きなどの撮像データを取得してもよい。ウェアラブルデバイス６２は、そのユーザに装着されており、ユーザの生体情報を取得する。
【００３７】
（一動作例）
次に、図３を参照して、車両用機器２００を含むシステム１００の一動作例について説明する。図３は、実施の形態１に係る車両用機器の一構成例の動作を示すフローチャートである。
【００３８】
まず、ユーザが、自己の指定する第１の目的地を、車両用機器２００のＨＭＩ１１を介して入力する（ステップＳＴ１１）。
【００３９】
続いて、第１の目的地に基づいて、第１の目的地への到着予測時刻を算出する（ステップＳＴ１２）。
【００４０】
続いて、現在地から第１の目的地までの経路を案内する（ステップＳＴ１３）。
【００４１】
続いて、第１の目的地および第１の目的地への到着予測時刻に基づいて、外部データベース又はローカルデータベースを情報検索し、到着予測時刻における、第１の目的地の魅力度合いを含む目的地情報を取得する（ステップＳＴ１４）。
【００４２】
続いて、取得した目的地情報をＨＭＩ１１を通じてユーザに提示する。(ステップＳＴ１５)。
【００４３】
続いて、到着予測時刻における第１の目的地の魅力度合いが所定のレベル以下である場合（ステップＳＴ１６：ＹＥＳ）、推奨目的地のガイダンスを行う（ステップＳＴ１７）。推奨目的地は、第２の目的地を含む。提示部２０５がＨＭＩ１１を通じて、第２の目的地をユーザに示す。第２の目的地は、複数であってもよい。
【００４４】
続いて、ユーザが目的地を変更するか否かを選択する（ステップＳＴ１８）。ユーザは、第１、又は第２の目的地を選択することをＨＭＩ１１を介して入力する。
【００４５】
最後に、ユーザが第１の目的地から第２の目的地に変更した場合（ステップＳＴ１８：ＹＥＳ）、現在位置から、第２の目的地の経路案内を行う（ステップＳＴ１９）。
【００４６】
一方、到着予測時刻における第１の目的地の魅力度合いが所定のレベル以上である場合（ステップＳＴ１６：ＮＯ）、第１の目的地への経路案内を継続して（ステップＳＴ２０）、終了する。同様に、ユーザが第１の目的地から第２の目的地に変更しない場合（ステップＳＴ１８：ＮＯ）、第１の目的地への経路案内を継続して（ステップＳＴ２０）、終了する。第１の目的地へ向けた走行中に、適宜上述のステップを繰り返して、渋滞などで到着予測時刻が変更になった場合に、目的地の魅力度合いを含む目的地情報をＨＭＩ１１を通じてユーザに提示してもよい。
【００４７】
また、ステップＳＴ１４において、到着予測時刻における第１の目的地の魅力度合いを、現地情報取得部２０６が取得する情報をさらに用いて算出してもよい。この現地情報取得部２０６が取得する情報は、例えば、目的地における天候、気温、混雑度、周辺施設の混雑度に関するリアルタイムな現地情報、到着予測時刻における予測現地情報等である。
【００４８】
また、ステップＳＴ１４において、到着予測時刻における第１の目的地の魅力度合いを、ユーザ体調判定部２０７が判定するユーザの体調をさらに用いて算出してもよい。
【００４９】
また、到着予測時刻における第１の目的地の魅力度合いが所定のレベル以下である場合（ステップＳＴ１６：ＹＥＳ）、推奨出発時刻の提案、又は推奨経路の提案を行ってもよい。
【００５０】
以上より、車両用機器２００の構成によれば、到着予測時刻における第１の目的地の魅力度合いをユーザに提示することができる。また、車両用機器２００の構成によれば、到着予測時刻における第１の目的地の魅力度合いが所定のレベル以下である場合、魅力度の高い代替目的地を提案することができる。
【００５１】
また、車両用機器２００の構成によれば、到着予測時刻における第１の目的地の魅力度合いが所定のレベル以下である場合、ユーザ好みを学習した情報から、魅力度の高い目的地を提案することができる。
【００５２】
また、上記提案した魅力度の高い目的地への経路と、出発時刻とを推奨することができる。
【００５３】
なお、車両用機器２００は、到着時刻目的地魅力度合いを、ユーザの体調と、走行距離とに基づいて制御する場合がある。このような場合、ユーザの体調と走行距離とを考慮して、目的地を提案することができる。ユーザにとって、より高い魅力度の目的地を提案することができる。
【００５４】
（実施の形態２）
次に、図４を参照して実施の形態２に係るシステムについて説明する。図４は、実施の形態１に係る車両用機器の一構成例のシステム構成を示すブロック図である。
【００５５】
システム１０１は、車両用機器３００と、サーバ４００とを備える。車両用機器３００と、サーバ４００とは、ネットワークを介して接続されており、各種情報を相互に送受信することができる。
【００５６】
車両用機器３００は、走行情報取得部３０２と、送信部３０３と、受信部３０４と、提示部３０５とを備える。
【００５７】
走行情報取得部３０２は、走行に関する走行情報を取得する。当該走行情報は、例えば、車両用機器３００が用いられている車両の現在位置、速度、加速度、移動方向などが挙げられる。当該走行情報は、車両用機器３００が用いられているＣＡＮや各種センサ等から取得する。送信部３０３は、走行情報取得部３０２が取得した走行情報をサーバ４００に送信する。受信部３０４は、サーバ４００の送信部４０３から送信された到着時刻目的地魅力度合いを受信する。提示部３０５は、到着時刻目的地魅力度合いをユーザに提示する。制御部３０１が、走行情報取得部３０２と、送信部３０３と、受信部３０４と、提示部３０５との制御を行ってもよい。
【００５８】
サーバ４００は、受信部４０２と、送信部４０３と、到着予測時刻算出部２０２と、目的地情報取得部２０３と、到着時刻目的地魅力度合い算出部２０４とを備える。サーバ４００は、図１に示す車両用機器２００と共通する構成を一部備える。到着予測時刻算出部２０２と、目的地情報取得部２０３と、到着時刻目的地魅力度合い算出部２０４とを合わせ、ＣＰＵである制御部４０１（図示略）としてもよい。
【００５９】
受信部４０２は、走行情報取得部３０２が取得し送信部３０３が送信した走行情報を受信する。到着予測時刻算出部２０２は、受信部４０２が受信した走行情報から、第１の目的地への到着予測時刻を算出する。
【００６０】
目的地情報取得部２０３は、第１の目的地に関し、時間帯ごとの目的地の魅力度合いを含む目的地情報を取得する。
【００６１】
到着時刻目的地魅力度合い算出部２０４は、到着予測時刻および目的地情報に基づいて、到着予測時刻における第１の目的地の魅力度合いを算出する。
【００６２】
送信部４０３は、到着時刻目的地魅力度合いを受信部３０４に送信する。
【００６３】
提示部３０５は、受信部３０４が受信した、到着時刻目的地魅力度合いをユーザに提示する。
【００６４】
以上より、システム１０１の構成によれば、車両用機器２００と同様に、到着予測時刻における第１の目的地の魅力度合いをユーザに提示することができる。
【００６５】
また、到着予測時刻における第１の目的地の魅力度合いが所定のレベル以下である場合に、ユーザ好みを学習した情報から、魅力度の高い目的地を提案することができる。
【００６６】
また、到着時間において目的地で異常事態が発生した場合であっても、ユーザ好みを学習した情報から、魅力度の高い目的地を提案することができる。
【００６７】
（他の実施の形態等）
上記実施の形態では、図１に示す車両用機器２００の各部位の機能について説明したが、車両用機器２００としてこれらの機能が実現できればよい。
【００６８】
また、上記実施の形態に係る車両用機器２００は、次のようなハードウェア構成を備えることができる。図５は、車両用機器２００に含まれるハードウェア構成の一例を示す図である。
【００６９】
図５に示す車両用機器５００は、インタフェース５０３とともに、プロセッサ５０１及びメモリ５０２を備える。上述した実施の形態で説明した制御部２０１、到着予測時刻算出部２０２、目的地情報取得部２０３、到着時刻目的地魅力度合い算出部２０４、及び提示部２０５は、プロセッサ５０１がメモリ５０２に記憶された制御プログラムを読み込んで実行することにより実現される。つまり、このプログラムは、プロセッサ５０１を制御部２０１、到着予測時刻算出部２０２、目的地情報取得部２０３、到着時刻目的地魅力度合い算出部２０４、提示部２０５、又はその一部として機能させるためのプログラムである。このプログラムは、図１の車両用機器２００に、制御部２０１又はその一部における処理を実行させるためのプログラムであると言える。
【００７０】
上述したプログラムは、様々なタイプの非一時的なコンピュータ可読媒体（non-transitory computer readable medium）を用いて格納され、コンピュータ（情報通知装置を含むコンピュータ）に供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、この例は、ＣＤ−ＲＯＭ（Read Only Memory）、ＣＤ−Ｒ、ＣＤ−Ｒ／Ｗを含む。さらに、この例は、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７１】
さらに、上述した様々な実施の形態において、車両用機器における処理の手順を説明したように、本開示は車両用機器の制御方法としての形態も採り得る。この車両用機器の制御方法は、次の第１、第２、第３、及び第４のステップを含む。第１のステップは、ユーザが指定する第１の目的地への到着予測時刻を算出するステップである。第２のステップは、前記第１の目的地に関し、時間帯ごとの第１の目的地の魅力度合いを含む目的地情報を取得するステップである。第３のステップは、前記到着予測時刻および前記目的地情報に基づいて、到着予測時刻における第１の目的地の魅力度合いを算出するステップである。第４のステップは、前記算出した到着時刻目的地魅力度合いを前記ユーザに提示するステップである。なお、その他の例については、上述した様々な実施の形態で説明した通りである。また、上述のプログラムは、車両用機器にこのような制御方法を実行させるためのプログラムであると言える。
【００７２】
なお、本開示は上記実施の形態に限られたものではなく、趣旨を逸脱しない範囲で適宜変更することが可能である。また、本開示は、実施の形態やその一例を適宜組み合わせて実施してもよい。
【符号の説明】
【００７３】
１００、１０１、１０２  システム
２００、３００、３１０、５００  車両用機器
２０１、３０１  制御部                  ２０２  到着予測時刻算出部
２０３  目的地情報取得部                ２０４  到着時刻目的地魅力度合い算出部
２０５  提示部                          ２０６  現地情報取得部
２０７  ユーザ体調判定部                ２０８  走行距離算出部
２０９  目的地検索部                    ２１０  出発時刻経路提案部
３０２  走行情報取得部                  ３０３  送信部
３０４  受信部                          ３０５  提示部
４００、４１０  サーバ
４０１  制御部                          ４０２  受信部
４０３  送信部
４１１  データベース                    ４１２  走行情報
１０  ヘッドアップディスプレイ装置
１１  操作部                            １２  記録装置
１３  音声認識部                        １４  Ｂｌｕｅｔｏｏｔｈインタフェース
１５  Ｗｉ−Ｆｉインタフェース
２０  携帯端末群                        ２１、２２  携帯端末
３  インターネット                      ４  クラウドネットワーク
６  体調判定器
１７、４１  スポット情報                ４２  ユーザ情報
６１  カメラ                            ６２  ウェアラブルデバイス
５０１  プロセッサ                      ５０２  メモリ
５０３  インタフェース
ＳＴ１１−ＳＴ２０  ステップ
【図１】
2020148532.tif 000003
【図２】
2020148532.tif 000004
【図３】
2020148532.tif 000005
【図４】
2020148532.tif 000006
【図５】
2020148532.tif 000007